(57)【要約】【課題】無線ローカルエリアネットワーク（ＬＡＮ）において、コストの効率化を図るシステム設計方法の観点に基づいて、周辺装置を可及的に単純化する【解決手段】送受信手段及び周辺装置を含む無線ＬＡＮにおける信号の電力マージンをテストする方法であって、電力マージンが低減されるようなシステムに相当する状況がシミュレートされる、前記ＬＡＮ中の少なくとも１つの送受信手段に対し、送信受信パラメータを設定すること；前記送受信手段から前記の周辺装置にメッセージを送信すること；また前記周辺装置からの認識信号が送受信手段によって受信されたか否かを登録する。【選択図】図１
2004508764.tif 000002
【特許請求の範囲】
【請求項１】
少なくともつの送受信手段（ＴＲＸ）のための無線ローカルエリアネットワーク（ＬＡＮ）と、前記ローカルエリアネットワーク（ＬＡＮ）中の少なくとも１つの周辺機器（ＥＳＬ）とを備え、前記周辺機器は、前記の送受信手段（ＴＲＸ）に対し、認識信号（ＡＣＫ）を送ることにより、前記送受信手段（ＴＲＸ）からのメッセージに応答可能であり、ノミナル状態の信号電力に係るシステム機能を点検するシステムにおける信号電力マージンを試験する方法であって、当該方法は、
システム中の送信電力パラメータを操作することにより、認識信号（ＡＣＫ）電力が低減されたネットワークの状況をシミュレートし、
前記送受信手段（ＴＲＸ）から前記周辺装置（ＥＳＬ）にメッセージを送信し、
前記周辺装置（ＥＳＬ）からの認識（ＡＣＫ）が送受信手段（ＴＲＸ）によって受信されたか否かを登録する
ことを特徴とする信号電力マージンの試験方法。
【請求項２】
前記シミュレーションは、送受信手段（ＴＲＸ）中、及び（又は）周辺装置（ＥＳＬ）中の、送信電力及び（又は）信号検出しきい値の操作により実行されることを特徴とする請求項１に記載の信号電力マージンの試験方法。
【請求項３】
前記送受信手段（ＴＲＸ）中の送信電力は、前記メッセージが、ノミナル状態より低い電力で送信されるように設定されることを特徴とする請求項１に記載の信号電力マージンの試験方法。
【請求項４】
前記の送受信手段（ＴＲＸ）中の前記検出しきい値は増加されることを特徴とする請求項１に記載の信号電力マージンの試験方法。
【請求項５】
前記メッセージは、周辺機器（ＥＳＬ）に対し、認識（ＡＣＫ）の信号電力を低減させる命令を含むことを特徴とする請求項１に記載の信号電力マージンの試験方法。
【請求項６】
前記認識（ＡＣＫ）の信号電力は、リセットされることを特徴とする請求項５に記載の信号電力マージンの試験方法。
【請求項７】
前記のリセットは、送受信手段（ＴＲＸ）から周辺装置（ＥＳＬ）に対し、電力リセット命令を送ることによりなされることを特徴とする請求項６に記載の信号電力マージンの試験方法。
【請求項８】
前記のリセットは、予め設定された時間遅延の後に自動的になされることを特徴とする請求項６に記載の信号電力マージンの試験方法。
【請求項９】
前記周辺装置（ＥＳＬ）からの認識信号（ＡＣＫ）を検出するために、前記送受信手段（ＴＲＸ）の検出しきい値を増加させることを含むことを特徴とする請求項１に記載の信号電力マージンの試験方法。
【請求項１０】
前記ローカルエリアネットワーク（ＬＡＮ）は、販売店環境用の電子棚札システムであり、前記周辺機器は、電子棚札（ＥＳＬ）であることを特徴とする請求項１に記載の信号電力マージンの試験方法。
【請求項１１】
少なくともつの送受信手段（ＴＲＸ）と、少なくとも１つの周辺機器（ＥＳＬ）とを備え、 前記周辺機器は、前記の送受信手段（ＴＲＸ）に対して、認識信号（ＡＣＫ）を送ることにより、前記送受信手段（ＴＲＸ）からのメッセージに応答可能な、ローカルエリアネットワークにおける信号電力マージンを試験するシステムであって、当該システムは、
ノミナルの電力状況と、電力マージンが減じられる場合に、システムに相当するシミュレートされた状況との間で、相対的な信号電力レベルを切り替えるプログラム可能な制御装置と、
前記周辺装置（ＥＳＬ）からの認識（ＡＣＫ）が、送受信手段（ＴＲＸ）によって受信されたか否かを登録する記録ユニット（ＣＣ）と、
を備えることを特徴とする信号電力マージンの試験システム。
【請求項１２】
前記ローカルエリアネットワーク（ＬＡＮ）は、販売店環境用の電子棚札システムであり、前記周辺機器は、電子棚札（ＥＳＬ）であることを特徴とする請求項１１に記載の信号電力マージンの試験システム。
【請求項１３】
前記各周辺機器（ＥＳＬ）には、固有の識別子が関連付けられていることを特徴とする請求項１１に記載の信号電力マージンの試験システム。
【請求項１４】
電力マージンテストに失敗した周辺機器を提示するエラーリスト生成手段を含むことを特徴とする請求項１１に記載の信号電力マージンの試験システム。
【発明の詳細な説明】
【０００１】
【発明の属する技術分野】
本発明は、無線通信システム全般に係り、特に、小売店の環境下で使用される電子棚札システム（ＥＳＬ： Ｅｌｅｃｔｒｏｎｉｃ Ｓｈｅｌｆ Ｌａｂｅｌｉｎｇ）のための無線ローカルエリアネットワーク（ＬＡＮ）や周辺装置における信号の電力マージンをチェックする装置及び方法に関する。
【０００２】
【従来の技術】
例えば、電子価格用システムのための無線システムは、急速に人気を獲得している。数百店のスーパーマーケットでは、今日、そのようなシステムを使用している。これらのシステムは全て、インフラストラクチュアに接続された無線インフラストラクチュア及び周辺装置（例えば、電子棚札、ＥＳＬ等）からなる無線通信やネットワークを備えている。多くの場合、何万もの無線周辺装置（例えばＥＳＬ）がこれらのシステムの中で使用され、且つ、接続に過酷な条件下で用いられている。そのようなシステムに対する極端なコスト要請、周辺装置の消費電力とサイズの制約により、電力効率的にも高い必要条件が設定される。これについて、過剰な設備（例えば、強力すぎるトランスミッターを備えることによりイニシャルコストを増大させるなど）や、安定した通信範囲を保証できない、最低条件を下回るインフラストラクチュア（例えば、そのトランスミッターが通信するように設定された全ての装置に確実に到達しない信号強度の低性能なトランスミッターを備えるなど）は、動作不良や維持費の増大につながることから、導入を回避することが常に重要である。システムが構築された後に、弱い信号強度による不調を修正するため、周辺装置或いは通信インフラストラクチュアを調整したり或いは調節したりすることは、不適当である。例えば、このシステムの一部が停止した場合、いくつかの周辺装置において、いくつかの商品について、不正確な古い価格が設定されることとなり、その修正に、コストがかかり、且つ時間を要するため、妥当ではない。導入されたシステム環境を再構築することは、例えば、小売店が、季節のキャンペーン或いは他の事情に際し、通信インフラストラクチュアと周辺装置の間の無線リンクを確立するための負荷が大きくなる。
【０００３】
今日、上述したようなシステムにおける電力レベルのテストとして、数種類の方法が開発されている。その最も簡単な方法としては、
１）各周辺装置への機能的な通信テストを行い、結果を記録するもの
２）信号の強さレベルを記録するために、周辺の位置及び通信インフラストラクチュア位置で信号強度の測定器を使用するもの
がある。
【０００４】
【発明が解決しようとする課題】
上述した第１の方法では、通信が確立されたことを「ＧＯ」で示し、「ＮＯ ＧＯ」により通信が確立されなかったことを示すというように、単に「ＧＯ／ＮＯ ＧＯ」という回答を得るに過ぎないという問題がある。すなわち、信号強度のマージンに関する情報は得られない。信号強度のマージンは、信号強度の変化を扱うための調整や、時間的管理、構成のために必要である。これは、特有のとき、例えばシステムの顧客受入れ試験では、１００％の通信を示すシステムであっても、再整理或いはインストール環境の操作の後に、いくつかの周辺装置と通信ができない可能性があることを意味する。
【０００５】
前記第２の方法では、この方法が非常に時間を消費し、また、通信インフラストラクチュア及び周辺装置中の部品の性能に基づく、異なるばらつき（例えば、構成要素の種類や製造誤差）を考慮しなければならないという問題がある。
【０００６】
電子棚札システムにおいて、無線通信インフラストラクチュア中で接続している数送受信手段（ＴＲＸ）は、約１０ ０００以上の棚札と通信する。
【０００７】
【課題を解決するための手段】
そこで、本発明は、コストの効率化を図るシステム設計方法の観点に基づいて、周辺装置を可及的に単純化するとともに、ＴＲＸにおける技術的な諸問題を解決すべくなされたものである。本発明の装置及びシステムによれば、電力レベル及び検出レベルを（ＴＲＸ）中で操作することにより、単純な周辺機器を製造することができる。なお、周辺装置中及び（又は）周辺装置の出力電力中の検出レベルのような他のパラメータ調節など、発明の目的を実現するために、種々の追加をすることができる。さらに、信号強度の測定、及びその測定結果の通信インフラストラクチュアシステムへの報告、電力マージンの計算の方法は、本発明の範囲内である。ここで、「信号の電力マージン」の表現は、実際の信号強度と、トランスミッター部品から通信リンクの受信部品に信号を送信するのに必要とされる最小の信号強度との間の比率を意味する。信号の電力マージンは、要求された最小の信号に対するパーセンテージで通常表現される。
【０００８】
例えば、最小要求信号が１００で、実際の信号が１２０である場合、電力マージンは、［１２０／１００＝１．２］、つまり２０％となる。
【０００９】
また、本発明は、無線システムにおいて、信号レベル及び検出レベルを操作することにより、また、構成装置、再構築／移動周辺装置／通信インフラストラクチュアユニット等の寿命を現実の状況下においてエミュレートする方法により、電力マージン（つまり頑健性）を測定することを含む。
【００１０】
本発明による方法の創造性のある特徴は、クレーム１に述べられる。本発明に係る方法は、送受信手段及び周辺装置を含む無線ＬＡＮにおける信号の電力マージンをテストする方法であって、電力マージンが低減されるようなシステムに相当する状況がシミュレートされ、前記ＬＡＮ中の少なくとも１つの送受信手段に対し、送信受信パラメータ（適宜、「送信電力パラメータ」と総称する）を設定すること；前記送受信手段から前記の周辺装置にメッセージを送信すること；また、前記周辺装置からの認識信号が送受信手段によって受信されたか否かを登録することを含む。
【００１１】
本発明は、従来のシステムに関連した問題を受けずに、システムの導入後において、無線システムの適切な頑健性を保証するためのシステムを提供するものである。本発明に係るシステムはクレーム１１で定義される。
【００１２】
【発明の実施の形態】
以下の本発明の実施形態に関する図面及び記述により、本発明は、オペレーション、その構成及び方法、その目的及び利点とともに、制限されることなく理解される。
【００１３】
以下の記述は、この技術分野における当業者が本発明を製造し、使用することを可能にするために提供され、本発明の発明者によって熟考された最良の形態である。なお、本発明の総括的な原理は、無線通信を組込む任意のシステムでの、電力マージンの試験や、適切な電力マージンの保証によって定義され、当業者は、容易且つ明白な様々な修正を加えることができる。
【００１４】
ここで、「送信電力パラメータ」とは、送信信号の電力レベルや、受信部における信号の検出しきい値レベル、周辺装置からの認識メッセージの信号電力レベル、システムユニットで送受信される信号電力（或いは強度）の相対的なレベルを調節するためのパラメータなど、システムで使用することのできる全てのパラメータを意味するものとする。
【００１５】
本発明は、図１及び関連するシーケンスの説明を考慮することにより最適に理解することができる。ＴＲＸは、無線通信インフラストラクチュア１の一部であり、無線データ（ジグザグ矢印によって示される）を受信し、送信することができる。これは、通信制御装置ＣＣによってコントロールされる。ＴＲＸには、無線通信システムにおける物理的なリンクのため、赤外線信号、無線周波数信号或いは他の技術を使用することができる。送信部ＴＸＴＲＸ及び（又は）受信部ＲＸＴＲＸにおけるレシーバー感度Ｄ（検出レベル）の信号電力Ｐは、調節することができる。Ａ（Ｂ）、Ｃ、．．Ｎは、ＴＲＸが通信するようにために設けられた無線通信インフラストラクチュア中の周辺装置である。これらの周辺装置Ａ〜Ｎは、例えば、店舗に設置されたＥＳＬの電子棚札のうちのいくつか、或いは全てとすることができる。周辺装置Ａ〜Ｎのそれぞれは、少なくとも１つの受信ユニットＲＸｎや、送信ユニットＴＸｎ（点線で示される）を備えている。
【００１６】
電力マージンテストを行う際、ＴＲＸによる最初の参照送信とともに、送信電力（Ｐｎｏｍｉｎａｌ）の形式的設定、及び検出しきい値（Ｄｎｏｍｉｎａｌ）の形式的設定が行われる。次いで、周辺装置Ａ、Ｂ、Ｃ、Ｎのそれぞれに対して、順次送信がなされ、周辺装置Ａ、Ｂ、Ｃ、Ｎから受信された回答が記録される。回答が全ての周辺装置から受信されれば、送信電力は全ての周辺のＡ〜Ｎに到達するのに十分であるが、無線通信インフラストラクチュア１中の信号電力マージンは未知である。次のステップで、電力レベルは、システムにおいて所要の電力マージンに対応する予め定められた値（Ｐｒｅｄｕｃｅｄ）に減じられる。周辺装置Ａ〜Ｎの全てへの送信は、このより低い電力レベルＰｒｅｄｕｃｅｄで繰り返されるとともに、この送信の周辺装置からの回答結果が記録される。アドレスされた周辺装置が全て回答した場合、下りリンクにおける電力マージンは、 Ｐ ｎｏｍｉｎａｌ／Ｐ ｒｅｄｕｃｅｄ以上となる。
【００１７】
アドレスされた周辺装置のうち１つ以上が返答しなかった場合、その電力マージンは、 Ｐ ｎｏｍｉｎａｌ／Ｐ ｒｅｄｕｃｅｄよりも小さいこととなる。システムは、通信不能な周辺装置のリストを作成し、これらを、新しいものと取り替えることができる。
【００１８】
上述した構成による方法では、下りリンクに対する電力マージンテストについて言及したが、以下に述べるステップにより、上りリンクについても同様の効果を得ることができる。
【００１９】
１）全ての周辺装置から順次、参照送信を行い、ＴＲＸ検出レベルをＤｎｏｍｉｎａｌに設定する。
【００２０】
２）全ての参照送信がＴＲＸによって検知された場合、予め定められた値によってＴＲＸにおける検出レベルをシステムで要求される電力マージンに相当するＤｉｎｃｒｅａｓｅｄに増加させる。
【００２１】
（シーケンス記述）
（１）電力マージン参照試験
第１に、トランスミッター電力をＰｎｏｍｉｎａｌ設定し、システムは周辺装置Ａにテストメッセージを送信する。メッセージが正確に受信された場合、Ａは認識信号（ＡＣＫ）を送り返す。所定の期間にＡＣＫがない場合、その周辺装置について不定応答（ＮＯＡＣＫ）を記録する。これに代えて、新しいテストメッセージを送信し、ＡＣＫを待つようにしてもよい。この手順は、所要の回数、繰り返される。ＡＣＫが確認された際、或いは、ＮＯＡＣＫが記録された際、システムは、次に導入された全ての周辺装置について同様の手順を行う。
【００２２】
このプロセス、すなわち、ノミナル状態の送信電力モードにおける、システム機能のテストが１００％の機能性で成功したとの確認は、下記のステップのシーケンスで概略的に例証することができる。
【００２３】
１． トランスミッター電力設定＝＞Ｐｎｏｍｉｎａｌ
２． ＴＲＸ＝＞ Ａ
３． Ａ＝＞ＴＲＸ；ＡＣＫ受信
４． ＴＲＸ＝＞Ｂ
５． Ｂ＝＞ ＴＲＸ； ＡＣＫ受信
６． ＴＲＸ＝＞Ｃ
７． Ｃ＝ＴＲＸ； ＡＣＫ受信
８． Ｎまで繰り返す
このように、有効に電力マージンテストが実行され、新しいトランスミッター電力が設定された際、上記シーケンスにより、システムが無線接続を行うことができる機能的なユニットに関する情報を得ることができる。
【００２４】
例えば、３デシベルの電力マージンが得られたときには、電力マージンテストでの出力電力は５０％に低減される。
【００２５】
（２）電力マージンテスト
上記と同様な手順を実行することにより、電力を低減し、周辺装置が（ノミナルに関して）１００％機能的でない状況をシミュレートすることができる。
【００２６】
１． トランスミッター電力設定＝／Ｐｒｅｄｕｃｅｄ
２． ＴＲＸ＝＞ Ａ
３． Ａ＝＞ＴＲＸ；ＡＣＫ受信
４． ＴＲＸ＝＞Ｂ
５． Ｂ＝＞ ＴＲＸ； ＡＣＫ受信
６． ＴＲＸ＝＞Ｃ
７． Ｃ＝ＴＲＸ； ＡＣＫ受信
８． Ｎまで繰り返す
第２の送信による結果が、第１の送信による結果と一致する場合、電力マージン＞Ｐｎｏｍｉｎａｌ／Ｐｒｅｄｕｃｅｄとなる。この場合、送信電力パラメータがトランスミッター電力として操作される。
【００２７】
上記の手順は、下りリンク電力の操作に基づく。しかしながら、上りリンクのテストにも適用可能である。実施形態の第１変更例としては、図２に概略的に例示したように、ＴＲＸにおけるＡＣＫ信号用の検出しきい値は増加され、その結果、より弱く送信されたＡＣＫ信号をシミュレートする。これについては、次のシーケンスで例証することができる。
【００２８】
１． ＴＲＸの検出しきい値設定＝Ｔｉｎｃｒｅａｓｅｄ
２． ＴＲＸ＝＞ Ａ
３． Ａ＝＞ ＴＲＸ ； ＡＣＫ検出
４． ＴＲＸ＝＞Ｂ
５． Ｂ＝＞ＴＲＸ； ＡＣＫ検出
６． ＴＲＸ＝＞ Ｃ
７．Ｃ＝ＴＲＸ； ＡＣＫ検出
８． Ｎまで繰り返す
この場合、送信電力パラメータがＡＣＫ信号用の検出しきい値となる。
【００２９】
別の実施形態は、図３に概略的に図示したように、ＥＳＬはより多くの「知能」を含む。すなわち、ＴＲＸからの電力低減メッセージに応じて、ＴＲＸに送信されるＡＣＫ信号電力を低減するための手段を設ける。この方法によれば、ＥＳＬの性能の実質的な削減をシミュレートすることができる。もちろん、テストが行われた後に、電力をノミナル状態にリセットするための手段を設けてもよい。これについては、ＴＲＸから電力リセットメッセージ、或いは単に予め設定された時間遅延の後のリセットによって実施することができる。この場合、送信電力パラメータは認識信号中の信号電力とする。
【００３０】
本発明のさらなる実施形態では、インフラストラクチュアテストツール（ＩＳＴＴ）が提供される。これは、ベースステーションと通信する多数のユニット（ＥＳＬのような）を含むインフラストラクチュア装置の試験用のツールである。
【００３１】
ＩＳＴＴの主な目的は、インフラストラクチュア中の全てのユニットと通信し、装置の通信リンクの性能を点検することである。
【００３２】
テストツールは、多くの可能な方法でインフラストラクチュアに接続することができる。図４にその一例を示す。
【００３３】
（通信リンク検定関数）
通信リンクテストは、店舗環境中の上下リンクの適用範囲を調査するテスト方法である。テストツールは、認識（ＡＣＫ）パルスを送る特有のテストＰＬにフレームを送る。ＡＣＫ又はＮＯＡＣＫは、全ての送受信手段（ＴＲＸ）によって検知される。テストツールはＡＣＫ情報を評価し、テストＰＬまで新しいフレームを送る。テストＰＬに送信された全てのフレームは、以下の情報により、ディスプレイを更新する。
【００３４】
１． カウンタにより、いくつのＡＣＫが受信されたかを表示する。
【００３５】
２． ２状態の切り替えを示すトグルシンボル。送られたフレーム毎のトグル切り替え。
【００３６】
３． どの送受信手段（ＴＲＸ）が最も強いＡＣＫを受信したか。
【００３７】
４． いくつのＴＲＸがＡＣＫを受信しているか。
【００３８】
前記ＡＣＫカウンタ（項目１）は、０〜９９までをカウントし、０から再スタートする。カウンタは、有効な上りリンク信号（ＡＣＫ）の存在を表示する。カウンタは、ＴＲＸに対する上りリンクが最小の必要条件以下となっているテストＰＬで、カウントを停止する。
【００３９】
ＰＬがフレームを受信する限り、ダウンリンクトグル（項目２）の切り替えが行われる。ダウンリンクがＰＬに対して最小の必要条件以下となったとき、切り替えを停止する。
【００４０】
Ｉｔｅｍ３は、最後のフレームが送信されたとき、最も強いＡＣＫを受信したＴＲＸを表示する。１つ以上のＴＲＸが同様な強さを受信している場合、最も高い数値を備えたＴＲＸが表示される。Ｉｔｅｍ４は、いくつのＴＲＸが最後のフレームのＡＣＫを受信したかを表示する。この値は、適用範囲が「過剰」（例えば、小さなＴＲＸグリッドに対して）であるかどうかを検知するために使用される。
【００４１】
「下りリンクレベル設定」及び「上りリンクレベル設定」のオプションが設けられている。これらのオプションによれば、ＴＲＸ下りリンク出力及び上りリンク感度を低減すること、すなわち、通信リンクテストの実行時に、より貧弱なリンクを作ることができる。
【００４２】
「リンクマージンの検出」オプションが設けられている。この機能は、要修正位置にあるＰＬや、最も低い下りリンク出力やＰＬに確立されたリンクを備えたＴＲＸにおける最低の上りリンク感度のＩＳＴＴ探索に使用する。これらのレベルが見つかる場合、結果は、ＰＣモニタ上に、リンクレベルセッティングとして示される。（この「リンクマージン検索」機能では、ＰＬのディスプレイを使用しない。）
通信リンクテストは、テストの間にファイルへのデータを記録することができる。テストツールはログファイルを作成する。データがログファイルに収集された際、テストツールは、送信された各フレームの後に、ＡＣＫレベルを記録するＴＲＸに問い合わせを行う。
【００４３】
なお、発明は、電子棚札システムに関して記述されたが、当業者において、信号強度電力マージンがコントロールされることが重要な任意の無線通信システムのためにそれを実施することができることは明白である。
【図面の簡単な説明】
【図１】
通信インフラストラクチュアユニット、及び、本発明の電力マージンテストシステムを備えた周辺装置に対して通信する無線通信と共に、無線通信システムの概要図である。
【図２】
本発明の電力マージンテストシステムの実施形態を示す概要図である。
【図３】
他の実施形態の概要図である。
【図４】
インフラストラクチュアテストツール（ＩＳＴＴ）の説明図である。
【図２】
2004508764.tif 000003
【図３】
2004508764.tif 000004
【図４】
2004508764.tif 000005
【国際公開パンフレット】
2004508764.tif 000006
2004508764.tif 000007
2004508764.tif 000008
2004508764.tif 000009
2004508764.tif 000010
2004508764.tif 000011
2004508764.tif 000012
2004508764.tif 000013
2004508764.tif 000014
2004508764.tif 000015
2004508764.tif 000016
2004508764.tif 000017
2004508764.tif 000018
2004508764.tif 000019
2004508764.tif 000020
2004508764.tif 000021
2004508764.tif 000022
2004508764.tif 000023
2004508764.tif 000024
【国際公開パンフレット（コレクトバージョン）】
2004508764.tif 000025
2004508764.tif 000026
【手続補正書】
【提出日】平成15年4月25日(2003.4.25)
【手続補正１】
【補正対象書類名】明細書
【補正対象項目名】特許請求の範囲
【補正方法】変更
【補正の内容】
【特許請求の範囲】
【請求項１】
少なくともつの送受信手段（ＴＲＸ）のための無線ローカルエリアネットワーク（ＬＡＮ）と、前記ローカルエリアネットワーク（ＬＡＮ）中の少なくとも１つの周辺機器（ＥＳＬ）とを備え、前記周辺機器は、前記の送受信手段（ＴＲＸ）に対し、認識信号（ＡＣＫ）を送ることにより、前記送受信手段（ＴＲＸ）からのメッセージに応答可能であり、ノミナル状態の信号電力に係るシステム機能を点検するシステムにおける信号電力マージンを試験する方法であって、当該方法は、
システム中の送信電力パラメータを操作することにより、認識信号（ＡＣＫ）電力が低減されたネットワークの状況をシミュレートし、
前記送受信手段（ＴＲＸ）から前記周辺装置（ＥＳＬ）にメッセージを送信し、
前記周辺装置（ＥＳＬ）からの認識（ＡＣＫ）が送受信手段（ＴＲＸ）によって受信されたか否かを登録し、
前記ローカルエリアネットワーク（ＬＡＮ）は、販売店環境用の電子棚札システムであり、前記周辺機器は、電子棚札（ＥＳＬ）である
ことを特徴とする信号電力マージンの試験方法。
【請求項２】
前記シミュレーションは、送受信手段（ＴＲＸ）中、及び（又は）周辺装置（ＥＳＬ）中の、送信電力及び（又は）信号検出しきい値の操作により実行されることを特徴とする請求項１に記載の信号電力マージンの試験方法。
【請求項３】
前記送受信手段（ＴＲＸ）中の送信電力は、前記メッセージが、ノミナル状態より低い電力で送信されるように設定されることを特徴とする請求項１に記載の信号電力マージンの試験方法。
【請求項４】
前記の送受信手段（ＴＲＸ）中の前記検出しきい値は増加されることを特徴とする請求項１に記載の信号電力マージンの試験方法。
【請求項５】
前記メッセージは、周辺機器（ＥＳＬ）に対し、認識（ＡＣＫ）の信号電力を低減させる命令を含むことを特徴とする請求項１に記載の信号電力マージンの試験方法。
【請求項６】
前記認識（ＡＣＫ）の信号電力は、リセットされることを特徴とする請求項５に記載の信号電力マージンの試験方法。
【請求項７】
前記のリセットは、送受信手段（ＴＲＸ）から周辺装置（ＥＳＬ）に対し、電力リセット命令を送ることによりなされることを特徴とする請求項６に記載の信号電力マージンの試験方法。
【請求項８】
前記のリセットは、予め設定された時間遅延の後に自動的になされることを特徴とする請求項６に記載の信号電力マージンの試験方法。
【請求項９】
前記周辺装置（ＥＳＬ）からの認識信号（ＡＣＫ）を検出するために、前記送受信手段（ＴＲＸ）の検出しきい値を増加させることを含むことを特徴とする請求項１に記載の信号電力マージンの試験方法。
【請求項１０】
少なくともつの送受信手段（ＴＲＸ）と、少なくとも１つの周辺機器（ＥＳＬ）とを備え、 前記周辺機器は、前記の送受信手段（ＴＲＸ）に対して、認識信号（ＡＣＫ）を送ることにより、前記送受信手段（ＴＲＸ）からのメッセージに応答可能な、ローカルエリアネットワークにおける信号電力マージンを試験するシステムであって、当該システムは、
ノミナルの電力状況と、電力マージンが減じられる場合に、システムに相当するシミュレートされた状況との間で、相対的な信号電力レベルを切り替えるプログラム可能な制御装置と、
前記周辺装置（ＥＳＬ）からの認識（ＡＣＫ）が、送受信手段（ＴＲＸ）によって受信されたか否かを登録する記録ユニット（ＣＣ）とを備え、
前記ローカルエリアネットワーク（ＬＡＮ）は、販売店環境用の電子棚札システムであり、前記周辺機器は、電子棚札（ＥＳＬ）である
ことを特徴とする信号電力マージンの試験システム。
【請求項１１】
前記各周辺機器（ＥＳＬ）には、固有の識別子が関連付けられていることを特徴とする請求項１０に記載の信号電力マージンの試験システム。
【請求項１２】
電力マージンテストに失敗した周辺機器を提示するエラーリスト生成手段を含むことを特徴とする請求項１０に記載の信号電力マージンの試験システム。
【国際調査報告】
2004508764.tif 000027
2004508764.tif 000028
2004508764.tif 000029